(57)【要約】      （修正有）【課題】内容物が持ちやすく、内容物の制限が少なく、また、こぼれにくく、積極的に持ち帰ってもらいやすい野球ヘルメット型食品容器およびその野球ヘルメット型食品容器を利用した野球ヘルメット型食品容器を提供する。【解決手段】大きさが横幅９０ｍｍ以上２００ｍｍ以下、縦幅１４０ｍｍ以上３００ｍｍ以下、高さが７０ｍｍ以上１６０ｍｍ以下であることを特徴とする野球ヘルメット型食品、および前記帽体の内部に紙製容器を設置しているこ野球ヘルメット型食品容器３１と紙製容器３２からなる複合食品容器。【選択図】図３
2015196532.tif 000002
【特許請求の範囲】
【請求項１】
大きさが横幅９０ｍｍ以上２００ｍｍ以下、縦幅１４０ｍｍ以上３００ｍｍ以下、高さが７０ｍｍ以上１６０ｍｍ以下であることを特徴とする野球ヘルメット型食品容器。
【請求項２】
帽体とひさし部とからなり、帽体の弾性率が１２５０ＭＰａ以上２４００ＭＰａ以下であることを特徴とする請求項１記載の野球ヘルメット型食品容器。
【請求項３】
前記帽体外面の表面粗さ（Ｒｙ）が１．６ｓ以上１００ｓ以下であることを特徴とする請求項１または２記載の野球ヘルメット型食品容器。
【請求項４】
前記帽体の内部に紙製容器を設置していることを特徴とする請求項１から３何れか記載の野球ヘルメット型食品容器と紙製容器からなる複合食品容器。
【請求項５】
前記紙製容器が、アイボリー紙、カード紙、バージン紙、カード紙、カップ原紙、コートボール紙の何れかからなることを特徴とする請求項４記載の複合食品容器。
【請求項６】
前記紙製容器が、アイボリー紙、カード紙、バージン紙、カード紙、カップ原紙、コートボール紙の何れかの表面に耐油処理、耐水処理、もしくは樹脂積層したものであることを特徴とする請求項５記載の複合食品容器。
【請求項７】
前記紙製容器が、角部を有することを特徴とする請求項４から６何れか記載の複合食品容器。
【発明の詳細な説明】
【技術分野】
【０００１】
本発明は、帽体の内部に食品を入れて販売し、販売後にかぶることができる野球ヘルメット型食品容器および複合容器に関する。
【背景技術】
【０００２】
従来から、野球帽子型食品容器として、半球の容器に取っ手の役割をなすのに十分な鍔を設けた野球帽子型の菓子容器が知られている。
【０００３】
これは、鍔、すなわちひさし部を片手で持ち、容器内に収納された菓子を食べるものであって、使用後に洗浄して飾り物にしたり、簡易ヘルメットとしてかぶるものである。
【０００４】
また、ヘルメットの形をした食品用容器としては、アイスクリーム容器が公知であるが、これはあくまでミニチュアであり、人間がかぶることはできない大きさであった。
【先行技術文献】
【特許文献】
【０００５】
【特許文献１】実開昭６３−１２０８３７号公報
【発明の概要】
【発明が解決しようとする課題】
【０００６】
しかし、特許文献１に記載されている野球帽子型食品容器においては、持つ部分が鍔の部分なので、片手で持ちうる重量のものでなければ内容物とすることはできず、ポップコーン等の軽量内容物しか採用することはできなかった。また、内容物の重量を多くするために容器自体の重量を軽量化することも考えられるが、これではヘルメットとしての強度を維持することはできず、また、本物感が減ってしまい、持ち帰って、もしくはかぶって帰宅についてもらうことによりゴミの減量化を目指すという目的を果たすことが困難になる。
【０００７】
また、このような野球帽子型食品容器は、底面が曲面であるため、安定性が悪く、帽体を持って保持しようとしても内容物がこぼれる心配がある。従って、上述のように鍔の部分を持つのであるが、用いない場合であっても、ヘルメットの形状の特性上、鍔の部分のある方向の重さが他の方向より重いので、置く場合もそのまま置いたのでは容易に傾いてしまい、内容物がこぼれやすかった。
【０００８】
しかも、このようなヘルメットは硬質プラスチックであり、一般的にその表面は滑らかであるので、特に傾きやすく、席を外す場合には簡単にこぼれていた。特に、球場で販売する場合は、屋外で販売する場合も多く、強風により容易に傾いていた。内容物が食品である特性上、こぼれた食品は廃棄するしかなく、内容物のこぼれは忌避されるべきものである。
【０００９】
また、このヘルメットの特性上、持って帰ってもらって楽しんでもらうこと、および販売場所、例えば球場などから積極的に持ち帰るのを促すため、かぶって帰宅の途についてもらうことが望まれていた。しかし、かぶり感やサイズがなかなか合致するものではなく、結局球場等に廃棄され、一定の割合で散乱してかえって環境を悪化させる場合もあった。
【００１０】
したがって、内容物が持ちやすく、内容物の制限が少なく、また、こぼれにくく、積極
的に持ち帰ってもらいやすい野球ヘルメット型食品容器および複合容器が求められていたという問題点がある。
【課題を解決するための手段】
【００１１】
本発明の第一の発明は、大きさが横幅９０ｍｍ以上２００ｍｍ以下、縦幅１４０ｍｍ以上３００ｍｍ以下、高さが７０ｍｍ以上１６０ｍｍ以下である野球ヘルメット型食品容器を提供するものである。
【００１２】
本発明の第二の発明は、前記帽体の弾性率が１２５０ＭＰａ以上２４００ＭＰａ以下である野球ヘルメット型食品容器を提供するものである。
【００１３】
本発明の第三の発明は、前記帽体外面の表面粗さ（Ｒｙ）が１．６ｓ以上１００ｓ以下である野球ヘルメット型食品容器を提供するものである。
【００１４】
本発明の第四の発明は、前記帽体の内部に紙製容器を設置している野球ヘルメット型食品容器と紙製容器からなる複合食品容器を提供するものである。
【００１５】
本発明の第五の発明は、前記紙製容器が、アイボリー紙、カード紙、バージン紙、カード紙、カップ原紙、コートボール紙の何れかからなる複合食品容器を提供するものである。
【００１６】
本発明の第六の発明は、前記紙製容器が、アイボリー紙、カード紙、バージン紙、カード紙、カップ原紙、コートボール紙の何れかの表面に耐油処理、耐水処理、もしくは樹脂積層したものである複合食品容器を提供するものである。
【００１７】
本発明の第七の発明は、前記紙製容器が、角部を有する複合食品容器を提供するものである。
【発明の効果】
【００１８】
本発明によれば、内容物が持ちやすく、内容物の制限が少なく、また、こぼれにくく、積極的に持ち帰ってもらいやすい野球ヘルメット型食品容器およびその野球ヘルメット型食品容器を利用した複合食品容器を提供できる。
【図面の簡単な説明】
【００１９】
【図１】本発明の実施の形態に係る野球ヘルメット型食品容器の概念斜視図である。
【図２】図１の野球ヘルメット型食品容器の帽体の内部に紙製容器を設置して複合食品容器とする場合の、紙製容器を模式的に示す概念斜視図である。
【図３】図１の野球ヘルメット型食品容器の帽体の内部に図２の紙製容器を設置した状態の複合食品容器を模式的に示す概念斜視図である。
【図４】本発明の実施の形態に係る野球ヘルメット型食品容器の概念平面図である。
【図５】図４の従来の野球ヘルメット型食品容器の概念側面図である。
【発明を実施するための形態】
【００２０】
以下、本発明の実施の形態について図面を参照して説明する。
【００２１】
図１は、本発明の実施の形態に係る野球ヘルメット型食品容器の概念斜視図である。
【００２２】
この野球ヘルメット型食品容器は、前後に長径が長い長球形を半分に切った形状に近い形をしている、食品を入れ、後に上下逆にして頭を入れることができる帽体１１と、帽体１１に頭を入れた場合、日差しをさえぎることのできる、鍔とも呼ばれることがあるひさ
し部１３からなっている。
【００２３】
従って、帽体内部１２は頭がすっぽり入る様な形状である、前後に長径が長い長球形を半分に切った形状に近い形をしている。
【００２４】
本実施の形態においては、アクリロニトリル、ブタジエン、スチレン共重合合成樹脂（ＡＢＳ樹脂）を用いる。射出成形、押出成形、カレンダー加工、中空成形など各種成型方法を用いることができる。
【００２５】
これは、それらの材質であれば、帽体の弾性率が１２５０ＭＰａ以上２４００ＭＰａ以下であることにより、落下強度を維持するとともに、容器としての機能を維持することができるからである。すなわち、弾性率が１２５０ＭＰａ未満であれば、柔らかすぎるために容器として機能しにくく、また、弾性率が２４００ＭＰａを越すと、コストアップ要因になってしまい、好ましくない。
【００２６】
一体成型する場合、帽体とひさし部とでわざわざ弾性率を変えるのは実際的ではなく、同一の値にするのが一般的である。
【００２７】
なお、一般的な野球ヘルメットでは、縁端が反っている形状のものもあるが、反っていない形状でも構わない。
【００２８】
こようなうな野球ヘルメット型食品容器では、球場で野球チームの試合に際して販売される場合が多いが、その場合は、チームのヘルメットに似せた野球ヘルメット型食品容器が用いられる場合が多い。それにより、球場内で廃棄される率が減り、かぶる等して持ち帰る率が高くなるからである。
【００２９】
そのために、単に樹脂に着色するだけでなく、チーム名等を印刷もしくはテープ貼りすることがよくおこなわれている。また、このような野球ヘルメット型食品容器は、かぶることや応援用に用いることは可能だが、試合に用いるものではない旨を表示する必要があり、このような各種表示も印刷もしくはテープ貼りもしくは積層することが必要な場合が多い。
【００３０】
なお、このような帽体外面の表面粗さ（Ｒｙ）が１．６ｓ以上１００ｓ以下であるのが持ちやすさの好ましいが、一体成型する場合、帽体とひさし部とでわざわざ表面粗さ（Ｒｙ）を変えるのは実際的ではなく、同一の値にするのが一般的である。同様に、帽体の内面と外面の表面粗さ（Ｒｙ）を変えるのは実際的ではなく、同一の値にするのが一般的である。
【００３１】
もちろん、このような表面粗さ（Ｒｙ）とするために、印刷を行って調整してもよいし、物理的処理により粗面化もしくは滑面化してもよく、化学的処理により粗面化もしくは滑面化してもよく、上述の様に部分的に選択的に行ってもよい。
【００３２】
なお、表面粗さ（Ｒｙ）は、ＪＩＳ  Ｂ  ０６０１（１９９４）・ＪＩＳ  Ｂ  ００３１（１９９４）に規定してある最大高さの表面粗さのことである。
【００３３】
このような表面粗さ（Ｒｙ）は、別の要素を考慮して適宜調整してもよい。すなわち、このような野球ヘルメット型食品容器は底面が平面ではないために安定性が悪く、単に置いただけでも滑って傾いて内容物がこぼれてしまうことが考えられるために、滑らない様に表面粗さ（Ｒｙ）を規定する場合もある。特に本願の野球ヘルメット型食品容器はひさし部を有するので、前後方向に重さが均等ではないために特に安定性が悪いため、さらに
表面粗さ（Ｒｙ）を規定する場合もある。
【００３４】
また、このような野球ヘルメット型食品容器に紙製容器を設置して複合食品容器としてる場合、野球ヘルメット型食品容器の帽体内部の表面粗さ（Ｒｙ）により紙製容器が滑って傾いて紙製容器内部の内容物がこぼれてしまうことが考えられるため、さらに表面粗さ（Ｒｙ）を規定する場合もある。特に本願の紙製容器が耐水性や耐油性を持つ必要性があるため、特に滑りやすく、安定性が悪いため、さらに表面粗さ（Ｒｙ）を規定する場合もある。
【００３５】
加えて、このような紙製容器は一般的に角部を有し、野球ヘルメット型食品容器と面接触せず角部のみで点接触しているのみなので、さらに滑りやすく、安定性が悪いため、さらに表面粗さ（Ｒｙ）を規定する場合もある。
【００３６】
このような野球ヘルメット型食品容器に紙製容器を設置し、複合食品容器とする場合がある。しかし、内容物がキャンディーの様に個包装が行われて内容物の衛生面から問題が生じない場合は紙製容器を設置せず直接内容物にいれても良い場合で、野球ヘルメット型食品容器単独で用いられる。
【００３７】
しかし、多くの場合、内容物の衛生面から、および内容物のよび内容物から染み出る水分や油成分によりかぶることができなくなることを防ぐため、野球ヘルメット型食品容器に紙製容器を設置し複合食品容器とする。この場合、密着性が高いと内容物のよび内容物から染み出る水分や油成分によりかぶることができなくなる場合が多く、また、紙製容器は底面を曲面にするのが容易でなく、また、密着していると使用後紙製容器を剥がすのに困難を生ずる場合が多いので、角部を有する形状とする場合が多い。
【００３８】
このような紙製容器の材質としては、坪量２００〜５００ｇ／ｍ２程度のバージン紙、カード紙、カップ原紙、コートボール紙が好ましい。具体的には、バージン紙としてはＮＥＷタフアイボリー（北越製紙株式会社製）、ＳＩＥ（富士製紙株式会社製）等があり、カード紙としてはパールカード（三菱製紙株式会社製）等、カップ原紙としてはＪＦカップ原紙（王子特殊紙株式会社製）等、コートボール紙としてはＯＫストロング（王子製紙株式会社製）等が好ましい。
【００３９】
また、内容物の種類により耐油性、耐熱性が必要な場合は、これらの用紙に、耐油性、耐熱性を付与するためアクリル性樹脂、ＰＬＡ（ポリ乳酸）樹脂、ＰＢＴ（ポリブチレンテレフタレート）樹脂等の機能性を有する樹脂を１５〜３０μｍの厚さにエクストルージョンラミネート法等の公知の方法により前記の用紙の表面に塗布して機能紙として使用することができる。
【００４０】
具体的には、フッ素樹脂系耐油剤であるアサヒガードＥ−６０（旭硝子株式会社製）、ローダイン（チバ・スペシャリティ・ケミカルズ株式会社製）等の薬剤を抄紙段階で内添した坪量２００〜５００ｇ／ｍ２程度の耐油紙や、坪量２００〜５００ｇ／ｍ２程度のアイボリー紙、カード紙、コートボール等の板紙と、坪量１０〜５０ｇ／ｍ２程度の晒しクラフト紙、上質紙等の薄紙を厚さ１０〜３０μｍ程度の低密度ポリエチレン樹脂を介して積層して耐油紙としたものが好ましい。
【００４１】
紙製容器の形状としては、球場内等での使用が想定されるので、上蓋のないオープン形状が想定されるが、内容物により持ち帰ることが想定される場合は、上蓋を設ける形状でもよく、さらに閉じるためのフラップなどを設けてもよい。
【００４２】
また、紙製容器の形状は、底板と複数の側板からなる形状が考えられるが、野球ヘルメ
ット型食品容器の内面自体が曲面であるので、通常の食品容器と異なり、底板が単一の平板である必要はない。側板の数も、野球ヘルメット型食品容器の内面自体が曲面であるため、直方体を構成するように四面である必要はなく、必要に応じて六面、八面などから適宜選択すればよい。
【００４３】
さらに、その側板の起立角度も、野球ヘルメット型食品容器の内面自体が曲面であるため、通常の垂直である必要はない。内容物の容積を増やすためには、上部が開くように積極的に傾けた方がこのましい。
【００４４】
さらに、野球ヘルメット型食品容器の内面自体が曲面であるため、底板の形状も、長方形、六角形などの側板との境界である辺が直線である必要はなく、辺が曲線であっても良く。このように辺が曲線であると、側板が曲がるが、これにより内容物の容積が増えるため、積極的に行うことも可能である。
【００４５】
また、このような紙製容器はフラップにより側板と側板を製函するのが通常であるが、球場内のみでの一時使用であり、それを使用し終わったあとは、その紙製容器を廃棄し、野球ヘルメット型食品容器をかぶって使用することが望まれるため、単に谷線と山線により折り込んで野球ヘルメット型食品容器に押し込んで複合食品容器としたものでもよい。また、フック形状にして製函するものでも構わない。
【００４６】
図２は、このような紙製容器の一例を示す斜視図である。この例では、底板２１と、その底板２１と折り目を介して連結している第一側板２２、後板２３、第二側板２４、前板２５とからなっている。また、その第一側板２２と後板２３、後板２３と第二側板２４、第二側板２４と前板２５、前板２５と第一側板２２は、各々フラップ（図示せず）、フラップ（図示せず）、フラップ２７、フラップ２６により接続している。
【００４７】
なお、底板２１の形状が長方形よりやや膨れた形状をしているため、その底板２１と第一側板２２、後板２３、第二側板２４、前板２５との折り線が曲線となっており、これにより第一側板２２、後板２３、第二側板２４、前板２５が膨らんだ状態となっているために、各々底板２１から垂直より若干広がった形状をしている。
【００４８】
図３は、このような紙製容器３２を、野球ヘルメット型食品容器３１に設置し、複合食品容器とした状態を示す斜視図である。第一側板２２、後板２３、第二側板２４、前板２５が、底板２１から垂直より若干広がった形状をしているため、垂直に構成した紙製容器より内容量を増やすことができるのみならず、紙製容器３２と野球ヘルメット型食品容器３１の接触する点が多くなり、安定し、野球ヘルメット型食品容器３１内で紙製容器３２が滑ることが少なくなった。
【００４９】
なお、以上のような効果を試すために、実際の使用感について試験を行った。すなわち、同様な材質（ＡＢＳ樹脂）により１１通りの大きさの野球ヘルメット型食品容器を作成し、これにより使用感を確認して（表１）のような結果を得た。
【００５０】
表１における容器としての使用感は、子供大人を問わず１０名に対して評価を行ったものであり、野球ヘルメット型食品容器の内部に紙製容器を装着し、その紙製容器の中にポテトチップスを充填したものを被験者に実食してもらった結果、容器が小さすぎたり大きすぎたものを×とし、食べやすかったものを○とした。
【００５１】
かぶりものとしての使用感は、子供大人を問わず１０名に対して評価を行った結果から判断した。実際に野球ヘルメット型食品容器をかぶってもらい、大きかったり小さかったりしてかぶりずらかったものを×とし、かぶりやすかったものを○とした。
【００５２】
なお、この場合の縦幅（ｌ）、横幅（ｗ）、高さ（ｈ）は、図４および図５に示す様に、ひさし部を含んだ長さであり、この野球ヘルメット型食品容器の場合、下端が図５のように同一高さではないために、そのうち最も頂点との高さが高くとれるようにした高さを高さ（ｈ）として規定した。
【００５３】
また、持ちやすさを試すために、同一寸法で表面粗さだけがことなる野球ヘルメット型食品容器を１１個作成し、これにより持ちやすさを確認して（表２）のような結果を得た。
【００５４】
表２における持ちやすさとは、子供大人を問わず１０名に対して評価を行った結果から判断した。実際にヘルメット型容器を持ってもらい持ちにくかったものを×とし、持ちやすかったものを○とした。
【００５５】
また、落下強度を試すために、同一寸法で弾性率だけがことなる野球ヘルメット型食品容器を作成し、これにより落下した場合の強さを確認して（表３）のような結果を得た。
【００５６】
表３の落下試験は、１ｍの高さから垂直落下させ容器に破断が生じるかを確認したものであり、各弾性率の容器で１０個ずつ行い、破断の生じなかったものをカウントしたものである。
【００５７】
【表１】
2015196532.tif 000003
【００５８】
【表２】
2015196532.tif 000004
【００５９】
【表３】
2015196532.tif 000005
【符号の説明】
【００６０】
１１、４１、５１…帽体
１２…帽体内部
１３、４２、５２…ひさし部
２１…底板
２２…第一側板
２３…後板
２４…第二側板
２５…前板
２６、２７…フラップ
３１…野球ヘルメット型食品容器
３２…紙製容器
【図１】
2015196532.tif 000006
【図２】
2015196532.tif 000007
【図３】
2015196532.tif 000008
【図４】
2015196532.tif 000009
【図５】
2015196532.tif 000010